(57)【要約】【課題】軽量かつ、組立性、断熱性、リサイクル性に優れた環境に優しい換気装置を提供する。【解決手段】ケーシング６を構成する不燃性ダンボールを換気装置１の外気口、排気口５側に固定する板部材６−１、給気口４、環気口３側に固定する板部材６−２、ならびに天面、底面、側面２面を１枚のダンボールで連続して構成した板部材６−３の３つの部品から構成し、これらを組み立てることで中空の６面体となるようにしている。前述した換気装置１内の流路を構成する発泡樹脂製の部品を組み立てて内部構成部材７とし、板部材６−３は、内部構成部材７の天面、底面、左右両側面の４面を覆うように、あらかじめ折り曲げ用の罫線を入れ、罫線を基準に曲げると、板部材６−１、６−２、６−３を組み立ててケーシング６としたとき、ケーシング６の内表面と組立てた内部構成部材７の外表面とがほぼ同一寸法となるように構成している。【選択図】図１
2011102648.tif 000002
【特許請求の範囲】
【請求項１】
建物内に設置され、本体内に内蔵した送風手段によって居室内の換気を行う換気装置において、換気装置を構成するケーシングを不燃性のダンボールで構成したことを特徴とする換気装置。
【請求項２】
前記ダンボールを箱状に形成し、前記換気装置のケーシングとして構成したことを特徴とする請求項１記載の換気装置。
【請求項３】
換気装置内部の流路を不燃性のダンボールで構成したことを特徴とする請求項１ないし２に記載の換気装置。
【請求項４】
前記ダンボールの表面に金属シートをラミネートしたことを特徴とする請求項請求項１ないし３に記載の換気装置。
【請求項５】
前記換気装置に建物内から排出される空気と屋外から建物内に導入する空気との間で熱交換を行う熱交換手段を設けたことを特徴とする請求項１ないし４に記載の換気装置。
【発明の詳細な説明】
【技術分野】
【０００１】
本発明は、住宅等の建物内に設置される換気装置に関する。
【背景技術】
【０００２】
シックハウス対策を主眼とした法律改正に伴い、一般の新築住宅においては、２４時間換気装置の設置が義務付けられている。このような換気装置には、居室内の汚染された空気を屋外に強制的に排気する第３種換気や、これに屋外から新鮮な外気を強制的に導入する機能を追加した第１種換気などがある。
【０００３】
このような換気装置は、通常、金属製（主に鉄板）のケーシング内に樹脂材料で成形された部品等を組み合わせて内部流路を形成したものが存在している。
【先行技術文献】
【特許文献】
【０００４】
【特許文献１】特開平０８−２２６６６８
【発明の概要】
【発明が解決しようとする課題】
【０００５】
このような換気装置の製造工程においては、ケーシングを形成する鉄板を加工するのに鉄板の切断加工や曲げや穴あけなどのプレス加工を行っているが、プレス加工を行う設備の動力である電気の消費量も大きい。通常、建物の天井裏や壁内などに隠蔽する形で設置されるため、鉄板製のケーシングを採用した場合は、内部流路を流れる空気と換気装置の設置場所との温度差からケーシング表面に発生する結露を防止するために、ケーシング表面に粘着材を介して保温材を貼り付ける工程が別途発生し、加工工程の増加につながっていた。
【０００６】
また、鉄板製の換気装置は、強度は確保できるものの、それなりの重量となってしまい、主に住宅の天井裏に設置される性質上、作業者が換気装置を天井裏まで抱え上げながらの設置作業を行うので、非常に労力を消費する作業となっていた。
【０００７】
さらに、近年では、環境負荷を軽減するためにリサイクル化が活発に行われているが、従来の製品は処分の際にある程度の部品に分別はできるものの、前述の保温材を鉄板表面から取り除くのが困難であり、最終的にはスクラップとして処分されるが、資源の再利用にそれほど貢献できていなかった。
【０００８】
本発明では、上記の課題を解決すべく、軽量で、組立性に優れ、断熱性にも優れ、リサイクル性に富んだ環境に優しい換気装置を提供することを課題とする。
【課題を解決するための手段】
【０００９】
上記課題を解決するため、本発明の換気装置は、建物内に設置され、本体内に内蔵した送風手段によって居室内の換気を行うものにおいて、換気装置を構成するケーシングを不燃性のダンボールで構成したことを特徴とする。
【００１０】
このような構成とすれば、ダンボールという加工性に優れている材料を換気装置のケーシングとして利用することができ、専用の加工設備を必要とせず、簡単な加工で製作でき、軽量で断熱性に優れた換気装置を得ることができ、本体廃棄時は部品要素ごとに分解でき、ケーシングも再利用可能となる。
【００１１】
また、本発明の換気装置は、前記換気装置の前記ダンボールを箱状に形成し、前記換気装置のケーシングとして構成したことを特徴とする。
【００１２】
このような構成においては、箱状のケーシング内に送風手段や内部流路を構成する部材の外表面をケーシングの内表面と同形状にすることで、構成部品をケーシング内に収納するという簡単な作業で換気装置を製作することができ、組立工程での作業が大幅に向上する。
【００１３】
また、本発明の換気装置は、換気装置内部の流路を不燃性のダンボールで構成したことを特徴とする。
【００１４】
このような構成とすれば、外板、内部流路などの換気装置を構成する部品を統一した材料で構成することができ、また、軽量かつ断熱性にさらに優れ、リサイクル性に優れた換気装置を得ることができる。
【００１５】
また、本発明の換気装置は、前記ダンボールの表面に金属シートをラミネートしたことを特徴とする。
【００１６】
このような構成とすれば、可燃性のあるダンボールを不燃性に優れた材料に構成することができ、好適な換気装置の材料として使用することができる。また、換気装置廃棄時は、表面の金属ラミネートを剥がすことで、ダンボールは古紙として再利用することができる。
【００１７】
また、本発明の換気装置は、前記換気装置に建物内から排出される空気と屋外から建物内に導入する空気との間で熱交換を行う熱交換手段を設けたことを特徴とする。
【００１８】
このような構成とすれば、換気装置が断熱性に優れているため、建物内に取り入れる新鮮な外気と屋外へ排出する汚染された建物内の空気との間で熱交換を行う熱交換換気を実現でき、従来の熱交換形換気装置に比べ、外気を室内環境により近付けた状態で建物内に取り入れることができ、省エネ性に優れている。
【発明の効果】
【００１９】
本発明によれば、軽量で、組立性に優れ、断熱性にも優れ、リサイクル性に富んだ環境に優しい換気装置を提供することが可能となる。
【図面の簡単な説明】
【００２０】
【図１】本発明の第１実施形態である換気装置の全体図である。
【図２】本発明の第１実施形態である換気装置の組立工程を示す図である。
【図３】本発明の第１実施形態である換気装置の組立工程を示す図である。
【図４】本発明の第２実施形態である換気装置の組立工程を示す図である。
【図５】本発明の第２実施形態である換気装置の組立工程を示す図である。
【発明を実施するための形態】
【００２１】
以下、図面に基づいて本発明の第１の実施の形態について説明する。図１は本発明の第１実施形態である換気装置１の全体図、図２、図３は本発明の第１実施形態である換気装置１の組立工程を示す図である。
【００２２】
本実施形態の換気装置１は、建物内の室内を換気するために、建物内の天井裏に設置されるものである。図１〜図３に示すように、換気装置１本体には、屋外の新鮮な空気を換気装置１内に取り入れる外気口２、建物内の汚れた空気を排気するために換気装置１内に取り入れる環気口３を設け、外気口２から取り入れた外気を室内に供給するための給気口４、環気口３から取り入れた建物内空気を屋外に排出するための排気口５をそれぞれ備え、外気口２は建物外壁に設けられた外気取入口（図示せず）と、排気口５は同じく外壁に設けられた建物内空気排出口（図示せず）と、給気口４は室内天井面に設置された吹出口（図示せず）と、環気口３は建物内の廊下天井に設けられた吸込口（図示せず）と、それぞれダクト（図示せず）を介して接続されている。
【００２３】
換気装置１には、装置内に内蔵され、羽根車と、羽根車に回転力を与えるモーターからなる送風手段（図示せず）を稼動させることにより、室内から屋外へ建物内空気を排出する流路、ならびに屋外から室内に新鮮外気を取り入れる流路を構成し、換気装置１内でこれらの流路が交差する部分に熱交換手段（図示せず）を設け、屋外から取り入れる外気と屋外へ排出される建物内空気との間で熱交換を行い、外気を室内環境に近付けたうえで建物内へ供給することができ、熱交換をせずそのまま外気を取り入れる場合に比べて、建物内の空調負荷を軽減しながら外気を建物内に供給することができる。
【００２４】
前記外気口２、環気口３、給気口４、排気口５を含む換気装置１内の流路は、成形加工した発泡樹脂（たとえば発泡ポリスチレン）からなる部品で構成されており、この流路内に前述の熱交換手段、送風手段が配置された内部構成部材を構成している。
【００２５】
換気装置１のケーシング６は、内部の波板部の空洞により構成される空気層を有するダンボールの両面に不燃性の断熱層を施したうえ、アルミ箔をラミネートした構成からなる不燃性ダンボールから構成される。断熱層としては、たとえば不燃性（あるいは難燃性）の混抄紙で構成したものを、接着剤を介して波板表面に貼り付けており、アルミ箔は、断熱層の表面に粘着材を介して表面に貼り付けている。
【００２６】
本実施形態においては、ケーシング６を構成する不燃性ダンボールを換気装置１の外気口、排気口５側に固定する板部材６−１、給気口４、環気口３側に固定する板部材６−２、ならびに天面、底面、側面２面を１枚のダンボールで連続して構成した板部材６−３の３つの部品から構成し、これらを組み立てることで中空の６面体となるようにしている。前述した換気装置１内の流路を構成する発泡樹脂製の部品は、組み立てた状態で６面体の内部構成部材７となるようにしている。板部材６−３は、内部構成部材７の天面、底面、左右両側面の４面を覆うように、あらかじめ折り曲げ用の罫線を入れ、罫線を基準に曲げると、板部材６−１、６−２、６−３を組み立ててケーシング６としたとき、ケーシング６の内表面と組立てた内部構成部材７の外表面とがほぼ同一寸法となるように構成している。
【００２７】
次に、ケーシング６の組立について説明する。図２に示すように、まず、板部材６−３を展開した状態とし、内部構成部材７の底面を、板部材６−３上の面であって、内部構成部材７の底面に対応する面に載せる。板部材６−３を前述した罫線を基準に折り曲げると、まず内部構成部材７の左右両側面を覆い、さらに天面を折り曲げて内部構成部材７の天面を覆う。その後、天面の端部６−４と左側面の端部とを適宜の手段にて連結する。また、適宜の手段とは、粘着性のあるテープや、タッカーなどの部材を使用したりすることができるが、本実施形態では、不燃性ダンボール表面をラミネートしたものと同素材のアルミ箔製の粘着テープ８使用している。
【００２８】
図３に示すように、板部材６−３を内部構成部材７に固定したのち、板部材６−１と板部材６−２を固定する。固定方法は板部材６−３の場合と同様、板部材６−３と板部材６−１、板部材６−２がそれぞれ対応する部分とを、アルミ箔製テープを用いて固定する。なお、板部材６−１、６−２、６−３と内部構成部材７との間に隙間が発生する場合は、ゴムスポンジ製のパッキンなどを必要に応じて介在させてもよい。また、換気装置１の内部構成部材７内の部品の点検やメンテナンスを行うための点検口を設ける場合、点検に必要な開口をあらかじめ板部材６−３の底面に設けておき、点検口の蓋も板部材６−３と同素材にて構成すれば、適宜の方法で点検口を開閉することもできる。また、電気配線が必要な端子台がある場合は、換気装置１の完成状態で端子台が換気装置１の表面に露出するよう、板部材６−１、６−２、６−３と端子台とが対応する部分をあらかじめ切り抜いておけば、常に端子台が露出し、換気装置１の設置時の配線作業を容易に行うことができる。
【００２９】
このようにケーシング６に不燃性ダンボールを利用することで、換気装置１のケーシング６を容易に加工でき、組立にも特別工具を要さず、テープやタッカーにて固定するだけで容易に組み立てることができる。また、ダンボールの内部に形成された空気層により、換気装置内部への熱の伝わりを遮断し、断熱性にも備えているので、鉄板製ケーシング６の場合に表面に施していた保温材も不要となり、組立工程が減り、鉄板製の換気装置よりも格段に軽量となり、建物に設置する場合の作業性が向上する。また、老朽化などで換気装置１を廃棄する場合も、ケーシング６を固定する粘着テープ６を剥がせば簡単に分解でき、その後不燃性ダンボール表面のアルミ箔を剥がすと、ダンボール部分は古紙として再利用でき、鉄板表面に保温材を施したものと比べても、リサイクル性に優れ、環境負荷を軽減することができる。
【００３０】
次に、図６に基づいて、本発明の第２実施形態について説明する。図４、図５は本発明の第２実施形態である換気装置１０の組立工程を示す図である。
【００３１】
第２実施形態では、第１実施形態にてケーシング６を板部材６−１、６−２、６−３の３つの部品から構成していたものに対し、板部材６−３に板部材６−１、板部材６−２をあらかじめ連結しておき、１枚の板からなる展開部材としたものである。展開部材は、蓋部９−１を除く他の５面を展開状態から罫線に沿って折り曲げ、アルミ製テープで固定することで、蓋部９−１のみが開口した箱体状のケーシング９とすることができる。この箱体状のケーシング９の開口から、内部構成部材７をケーシング９内部に収納し、収納後に蓋部９−１を折り曲げて粘着テープ８で閉じることで、第１実施形態と同様、換気装置１０の組立が完成する。ケーシング９を１枚のダンボールからなる展開部材とすることで、部品点数をさらに減らすことができ、組立性がさらに向上する。なお、点検口や端子部分の構成については、第１実施形態の構成を採用することができる。
【産業上の利用可能性】
【００３２】
本発明の換気装置は、一般住宅用として戸建住宅、集合住宅、ならびに業務用としてもオフィスビル、病院、商業施設等の様々な建物に広く利用することができる。また、第１種換気に限らず、第２種、第３種といった他の方式の換気装置にも応用できる。
【符号の説明】
【００３３】
１、１０  換気装置
２  外気口
３  環気口
４  給気口
５  排気口
６、９  ケーシング
７  内部構成部材
８  粘着テープ
【図１】
2011102648.tif 000003
【図２】
2011102648.tif 000004
【図３】
2011102648.tif 000005
【図４】
2011102648.tif 000006
【図５】
2011102648.tif 000007